(57)【要約】【課題】椅子状に姿勢変更可能なベッドにおいて使用するサイドレールであって、前方へ立ち上がる際にも把持しやすい位置に把持部を位置させることができるサイドレールを提供すること。【解決手段】ベッドの床部が平坦な状態と椅子状の状態とに姿勢変更可能なベッドに使用するサイドレールにおいて、このサイドレールは固定柵部とテスリ部とから構成され、このテスリ部は固定柵部の前後方向を軸心として軸周りに回動自在な構成とし、垂下した状態と略々水平な状態とに姿勢変更可能に構成するとともに、固定柵部に対して上下方向にテスリ部を高さ調節自在に構成した。【選択図】図１
2007117441.tif 000002
【特許請求の範囲】
【請求項１】
ベッドの床部が平坦な状態と椅子状の状態とに姿勢変更可能なベッドに使用するサイドレールにおいて、このサイドレールは固定柵部とテスリ部とから構成され、このテスリ部は固定柵部の前後方向を軸心として軸周りに回動自在な構成とし、垂下した状態と略々水平な状態とに姿勢変更可能に構成するとともに、固定柵部に対して上下方向にテスリ部を高さ調節自在に構成したことを特徴とする立ち上がり介助用のサイドレール。
【発明の詳細な説明】
【技術分野】
【０００１】
本発明は、ベッドの側部に取り付けて使用する立ち上がり介助用のサイドレールに関するものである。
【背景技術】
【０００２】
従来、一般的な介護用ベッドとしては床部が３分割されており、それぞれが起伏可能に構成され、様々な体位で療養できるようになったものが一般的である。
しかし、この種のベッドでは、ベッドからの離床する際に身体の向きを９０度換え、ベッドの側方で端座位の姿勢になってから立ち上がらなければならず、向きを換えることが困難な方にとっては必ずしも快適なものとはいえないものであった。
【０００３】
そこで、仰臥した状態から椅子に腰掛けた状態に姿勢変更可能なベッドが提案されている（例えば、特許文献１参照。）。
このベッドであれば、ベッド上で向きを換えることなくそのままの状態（腰掛状態）からベッドの前方へ立ち上がればよく、非常に快適なものとなっている。
【０００４】
なお、介護用のベッドには一般的にベッドフレームにサイドレールを差し込んで使用する。これは、使用者が落下するのを防ぐためであったり、あるいは、立ち上がる際の手掛かりとするためである。しかしながら、従来のサイドレールはベッドのサイドフレーム上に位置するように構成されている（例えば、特許文献２参照。）。
そのため、このようなものを使用した場合にはベッド幅と略々同じ幅となる把持部を持って立ち上がらなければならず、高齢者などにとっては力を入れ難く、使用上適しているとは言い難いものであった
また、把持部となる部位が上下方向を回動軸として水平旋回するよう構成されたサイドレールもある（例えば、特許文献３参照。）。このようなサイドレールでは、把持部を内側にセットして使用できるものであるが、この状態で不用意にベッドを姿勢変更した場合には、足などをベッドで挟み込む恐れがあり、危険な状態となってしまう。
【０００５】
【特許文献１】特開２００４−２９８３７２号公報
【特許文献２】特開２００５−１５２０５７号公報
【特許文献３】特開２００３−０５２７６５号公報
【発明の開示】
【発明が解決しようとする課題】
【０００６】
解決しようとする問題点は、椅子状に姿勢変更可能なベッドにおいて使用するサイドレールであって、前方へ立ち上がる際にも把持しやすい位置に把持部を位置させることができるとともに高さ調節可能な立ち上がり介助用のサイドレールを提供することである。
【課題を解決するための手段】
【０００７】
請求項１の発明は、ベッドの床部が平坦な状態と椅子状の状態とに姿勢変更可能なベッドに使用するサイドレールにおいて、このサイドレールは固定柵部とテスリ部とから構成され、このテスリ部は固定柵部の前後方向を軸心として軸周りに回動自在な構成とし、垂下した状態と略々水平な状態とに姿勢変更可能に構成するとともに、固定柵部に対して上下方向にテスリ部を高さ調節自在に構成したことを最も主要な特徴とする。
【発明の効果】
【０００８】
請求項１の発明は、ベッドの床部が平坦な状態と椅子状の状態とに姿勢変更可能なベッドに使用するサイドレールにおいて、このサイドレールは固定柵部とテスリ部とから構成されており、このテスリ部は固定柵部の前後方向を軸心として軸周りに回動自在な構成とされ、垂下した状態と略々水平な状態とに姿勢変更可能に構成するとともに、固定柵部に対して上下にテスリ部を摺動自在に構成されている。したがって、ベッドに取り付けた状態でテスリ部を垂下した状態としておくと一般的な介護ベッドに取り付けたサイドレールと同様に使用できる。また、ベッドを椅子状態とした後、テスリ部を回動させ略々水平な状態とすると、テスリ部の内側は使用者の身体の近くに位置するのでより把持しやすく、力を入れて立ち上がることが容易にできるようになっている。また、テスリ部は固定柵部に対して上下に適宜高さ調節可能となっているのでより力の入れやすい高さとして使用することもできる。
【発明を実施するための最良の形態】
【０００９】
ベッドの床部が平坦な状態と椅子状の状態とに姿勢変更可能なベッドに使用する立ち上がり介助用のサイドレールにおいて、このサイドレールは固定柵部とテスリ部とから構成し、このテスリ部は固定柵部の前後方向を軸心として軸周りに回動自在な構成とするとともに、垂下した状態と略々水平な状態とに姿勢変更可能とし、さらに、固定柵部に対して上下高さ調節可能とする。
【実施例１】
【００１０】
まず、最初に本発明にかかるサイドレール１を使用するベッドＢについて説明する。
このベッドＢは、第７図に示すように一般的な背上げ可能なベッドとは異なるものである。このベッドＢは一般的な仰臥姿勢で使用する状態では床部を同一平面に位置するように配置可能となっている（第７図（ａ）参照。）。この状態から、図示しない操作スイッチを操作することによって背上げ操作を行うと、背上げ動作とともに、脚を受ける脚受部が腰受部の下方に収納されるものである（第７図（ｂ）参照。）。使用者は操作スイッチの操作のみでベッドＢ上で椅子掛け姿勢を自動的にとることができるように構成されたものである。したがって、一般的な背上げ可能なベッドのように身体の向きを９０度換えることなく端座位の姿勢になることができ、より立ち上がりし易いベッドとされたものである。
なお、このベッドＢのサイドフレームＢｆには、後述するサイドレール１が取付自在となるように筒状の部材が固着されたり、あるいは軸材が挿通可能となるように空孔部が設けられており、これをサイドレール１の取付部としている。
【００１１】
続いて、本発明にかかる立ち上がり介助用のサイドレール１の一実施例を図面に基づいて説明する。なお、このサイドレールは左右対称に構成されたものを一組として使用するものである。そのため、以下の説明では、片側のみについて説明する。
【００１２】
このサイドレール１は、主として固定柵部２と、テスリ部３とからなる。
まず、固定柵部２について説明する。この固定柵部２は、下端部に挿通軸４，４が固着された支持パイプ５，６を備えている。この支持パイプ５，６を一定間隔離間した状態で枠パイプ７を固着し、その中を補強パイプ８，８，・・・で固着して固定柵部２は構成されている。なお、一方の支持パイプ６上方にはすき間が設けられており、その内部にはナット部材６ａが固着されている。さらに、この支持パイプ６の外周部には上下方向に適当な間隔をおいて空孔部６ｂ，６ｂ，・・・が複数穿設されている。
さらに、枠パイプ７上側端部には空孔部７ａが穿設されている。
【００１３】
次に、テスリ部３について説明する。このテスリ部３は、略々矩形状に構成された枠パイプ９を備えている。この枠パイプ９の内部には、挟み込みを防止するために補助プレート１０が固着されている。なお、この補助プレート１０は適当な間隔をおいてパイプなどを固着したものでもよい。
【００１４】
そして、この枠パイプ９には回動軸受１１が固着されている。この回動軸受１１の内部には空孔部１１ａが穿たれるとともに、外周部からこの空孔部１１ａまで雌ネジ部１１ｂが設けられている。そして、この回動軸受１１の端部にはストッパー片１１ｃが一体的に設けられている。
【００１５】
前記回動軸受１１を取り付ける回動軸１２について説明する。この回動軸１２は、前記固定柵部２の支持パイプ６に挿通される摺動パイプ１３に固着されている。なお、摺動パイプ１３には空孔部１３ａが穿たれるとともにナット部材１４が固着されている。このナット部材１４にはボルト部材１５が螺着されて、ボルト部材１５が支持パイプ６の空孔部６ｂ，６ｂ，・・・の何れかに挿通されることによって適宜高さ調節可能に構成されたものである。
【００１６】
このように構成された摺動パイプ１３には回動軸１２が固着されている。この回動軸１２は前記回動軸受１１の外径と略々同径となる大径部１２ａと回動軸受１１の空孔部１１ａの径と略々同径となる小径部１２ｂとからなり、さらに大径部１２ａと一体的になるように小径部１２ｂの外周部に円弧状のストッパー片１２ｃが構成されている。
なお、小径部１２ｂには前記回動軸受１１に螺着するボルト部材１６の先端が位置する部位に溝部１２ｄが設けられており、回動軸受１１をこの回動軸１２に挿通後ボルト部材１６により抜け止めされるようになっている。
【００１７】
１７はカバー部材であり、前記ストッパー片１１ｃ，１２ｃを覆うように取り付けるものであり、動作中に指などを挟まないためのものである。
【００１８】
そして、固定柵部２に取り付けられたテスリ部３が抜けないように、支持パイプ６上部には固定部材１８が取り付けられている。
この固定部材１８は、枠パイプ７内に挿通される軸部１８ａと支持パイプ６上部のナット部材６ａにネジ止めされるプレート部１８ｂとからなるものであり、軸部１８ａにプレート部１８ｂが固着されてなる。なお、軸部１８ａには固定用の空孔部１８ｃが穿たれている。そして、１９はカバー部材であり、この固定部材１８をカバーするためのものである。これは、前記固定部材１８の軸部１８ａを枠パイプ７に挿通し、カバー１９とともにピン２０を挿通して、固定している。
【００１９】
上記のように構成された立ち上がり介助用のサイドレール１は、次のようにベッドＢに取り付ける。まず、ベッドＢ側のサイドフレームＢｆにはサイドレール挿通用の空孔部が設けられた取付部が配されている。この空孔部に固定柵部２の支持パイプ５，６下端部の挿通軸４，４をそれぞれ差し込む。なお、より確実に固定したい場合にはこの挿通軸に雌ねじ部を設けておき、下方からねじ止めすればよい。
【００２０】
このように取り付けられたサイドレール１は、次のように使用する。
まず、ベッドＢの床部がフラットな状態の時には、テスリ部３を下方に垂下させた状態で使用する。この状態ではサイドレール１がベッドＢ上からの落下を防止するための柵として機能している。
そして、ベッドＢの背を上げベッドＢが椅子状の状態となり、使用者Ｍが立ち上がる際にテスリ部３を外側から内側へ回動させることによって第２図に示す状態とし、テスリ部３の把持可能な部位がベッドＢの全幅よりも使用者Ｍの身体に非常に近い位置とすることができる。したがって、使用者Ｍは身体のすぐ近く位置する把持部を掴み、身体を支えながら立ち上がることができるので、より力が入れ易く、また、安全に立ち上がることができるようになる。
【００２１】
さらに、このサイドレール１はボルト部材１５を緩め、摺動パイプ１３の高さを変えることで使用者Ｍがより適した高さで把持できるように構成されている。
また、このテスリ部３は立ち上がる際に使用する状態では、下方向きの力に対してはストッパー片１１ｃ、１２ｃによって拘束された状態にあるが、上方向きの力に対しては回動自在となっているので、ベッドＢの動作などにより布団や身体がテスリ部３とベッドＢに挟まれそうになった場合においても、テスリ部３が自然に上方に回動するので極めて安全な立ち上がり介助用のサイドレール１となっている。
【００２２】
このように、本発明の立ち上がり介助用のサイドレールは回動軸を前方に傾斜する状態で固着することによって、上記のように使用者が立ち上がりの際に把持しやすい位置に把持部を位置させることができるとともに、後方回動させることでベッドと平行な状態で邪魔にならないよう配置させることが可能となっている。
なお、本実施例については、使用状態及び下げた状態でのロック機構などは設けていないがこれは、使用状態でベッドが動作し始め際に何らかのものがサイドレールとの間にはさまれた場合でも上方への回動が自由にできることで怪我を防止できる効果があるものである。立ち上がる際には下方向きの負荷しかかからずその状態を維持することができればよいものである。
【図面の簡単な説明】
【００２３】
【図１】使用状態を示す側面図
【図２】使用状態を示す正面図
【図３】構成を示す説明図
【図４】要部側断面図
【図５】（ａ）作用を示す側面図  （ｂ）その正面図
【図６】作用を示す全体斜視図
【図７】サイドレールを使用するベッドの一実施例を示す説明図
【符号の説明】
【００２４】
１    立ち上がり介助用サイドレール
２    固定柵部
３    テスリ部
Ｂ    ベッド
Ｂｆ  サイドフレーム
Ｍ    使用者
【図１】
2007117441.tif 000003
【図２】
2007117441.tif 000004
【図３】
2007117441.tif 000005
【図４】
2007117441.tif 000006
【図５】
2007117441.tif 000007
【図６】
2007117441.tif 000008
【図７】
2007117441.tif 000009